(57)【特許請求の範囲】
【請求項１】
コンタクトレンズ（１０）において、
中央凸状円板（１２）と、
前記円板（１２）から半径方向に延在する周曲部分（１４）と、
前記円板および前記周曲部分（１４）の内側接合部において形成された環状溝（１６）と、
前記溝（１６）内に形成された１つまたは複数の開口（１８）と
を含み、
前記レンズ（１０）の内容積が、浸透圧勾配を生み出す高浸透性チャンバ（２０）を画定し、前記浸透圧勾配は結果的に、浸透性によって前記レンズ（１０）が載置される角膜から前記高浸透性チャンバ（２０）への直接的な流体の正味流入をもたらし、
前記高浸透性チャンバ（２０）は、浸透性物質（２２）を内部に収容する、コンタクトレンズ（１０）。
【請求項２】
前記内容積は、前記中央凸状円板（１２）によって画定される、請求項１に記載のコンタクトレンズ（１０）。
【請求項３】
前記１つまたは複数の開口（１８）及び前記レンズ（１０）の構造は、前記レンズ（１０）の外面に置かれた液体滴が、前記開口（１８）を通って前記レンズ（１０）の内側に引き込まれて、前記レンズ（１０）は、流体のトラップとして働くものである、請求項１に記載のコンタクトレンズ（１０）。
【請求項４】
前記中央凸状円板（１２）および前記周曲部分（１４）は、曲率が等しい、請求項１に記載のコンタクトレンズ（１０）。
【請求項５】
前記中央凸状円板（１２）および前記周曲部分（１４）は、曲率が等しくない、請求項１に記載のコンタクトレンズ（１０）。
【請求項６】
前記中央凸状円板（１２）の内面にわたって球面経度方向に少なくとも部分的に形成された１つまたは複数の弓形溝（４０）をさらに含む、請求項１に記載のコンタクトレンズ（１０）。
【発明の詳細な説明】
【技術分野】
【０００１】
本発明は、一般に、コンタクトレンズに関し、詳細には、過含水の、浮腫性角膜を補うように設計されたコンタクトレンズに関する。
【背景技術】
【０００２】
Ｄａｐｈｎａに対する米国特許第８０９６６５５号には、角膜浮腫を処置するように設計された高浸透性コンタクトレンズについて記載されている。高浸透性コンタクトレンズは、浸透勾配の力によって浮腫性角膜からの分泌液を吸収する。高浸透性コンタクトレンズは、その全体寸法に対して薄い壁を備えた微小コンテナとして設計され、前壁と後壁を備えたレンズとして形作られ、この前壁および後壁が、高浸透性チャンバを画定し、境界付ける。角膜およびコンタクトレンズが重なり合う領域である後壁は、選択的透水性膜から作られている。この領域では、浮腫性角膜からの水は、浸透力によって角膜から高浸透性チャンバ内に流出することができ、したがって、角膜自体から水分が抜ける。高浸透性チャンバは、乾燥ヒドロゲルなどの高浸透性透明媒質、またはグリセロール、塩などの溶液を収容することが可能である。
【発明の概要】
【発明が解決しようとする課題】
【０００３】
本発明は、本明細書においてさらに詳細に後述されるが、米国特許第８０９６６５５号とは異なる構造を提供する高浸透性コンタクトレンズに関する。
【課題を解決するための手段】
【０００４】
この高浸透性コンタクトレンズは、角膜浮腫を処置するように設計されている。高浸透性コンタクトレンズは、浸透勾配の力によって浮腫性角膜からの分泌液を吸収する。レンズの屈折性特性は、患者屈折に従って考慮され得る。
【０００５】
本発明の実施形態に従って、中央凸状円板と、円板から半径方向に延在する周曲部分と、円板および周曲部分の内側接合部において形成された環状溝と、溝内に形成された１つまたは複数の開口とを含むコンタクトレンズを含むコンタクトレンズが提供される。
【０００６】
本発明は、図面とともに解釈される以下の詳細な記載から、より完全に理解され、認識されよう。
【図面の簡単な説明】
【０００７】
【図１】本発明の実施形態により、構築され、機能する高浸透性アイコンタクトレンズを示す簡略化した前面図である。
【図２】高浸透性アイコンタクトレンズの横断面図である。
【図３】レンズの穴／環状溝の拡大横断面図である。
【図４】本発明の実施形態により、眼に装着された高浸透性アイコンタクトレンズの簡略化した側面図である。
【図５】本発明の別の実施形態により、眼に装着された高浸透性アイコンタクトレンズの簡略化した側面図である。
【発明を実施するための形態】
【０００８】
次に、本発明の実施形態により、構築され、機能する高浸透性アイコンタクトレンズ１０を示す図１を参照する。
【０００９】
コンタクトレンズ１０は、中央凸状円板１２を含み、周曲部分１４がこの中央凸状円板１２から半径方向に延在する。中央凸状円板１２および周曲部分１４は、同じ曲率を有しても、または異なる曲率を有してもよい。環状溝１６が、円板１２および周曲部分１４の内側（すなわち、後ろ側）接合部において形成される。１つまたは複数の開口（貫通穴）１８が、溝１６内に形成され得る。１つの実施形態では、６つの開口１８が存在し、別の実施形態では、８つの開口１８が存在するが、本発明は、これらの数に限定されない。
【００１０】
中央凸状円板１２は、コンタクトレンズとしての使用向けに酸素透過性、かつ寸法的に安定性がある材料から作られる。好ましい一例は、米国フロリダ州サラソタのＢｅｎｚ  Ｒｅｓｅａｒｃｈ  ＆  Ｄｅｖｅｌｏｐｍｅｎｔから市販されている、含水率範囲約５０〜７５％のＧ４Ｘのｐ−ＧＭＡ／ＨＥＭＡ（ヒオキシフィルコンＤ）である。本発明は、この材料に限定されない。
【００１１】
１つの実施形態では、レンズ１０の、好ましくは、中央凸状円板１２の内容積は、高浸透性物質２２（図４）を内部に支持するためのリザーバ（高浸透性チャンバ）２０（図２）を画定し、この物質２２は、限定するものではないが、乾燥ヒドロゲルなどの高浸透性透明媒質、または限定するものではないが、グリセロール、塩溶液などの溶液とすることができる。物質２２はまた、適切な屈折特性と透明度特性を有することができ、これらの特性は、患者の視力を修正するように選択され得る。
【００１２】
高浸透性物質２２の存在は、角膜と高浸透性チャンバ２０との間の分子的濃度勾配、したがって、浸透圧勾配を生み出す。浸透圧勾配は結果的に、浸透性によって角膜から高浸透性チャンバ２０への直接的な分泌液の正味流入をもたらし、したがって、角膜から水分が抜けることになる。レンズ１０は、定常状態の正味分泌液流入に到達するように、または定常状態に到達しないように構築され得る。
【００１３】
レンズ１０は、満杯になるまで十分な期間、機能できる適切な容積を有する。したがって、コンタクトレンズ１０は、毎日の処置、部分的に毎日の処置、もしくは夜間処置、または浮腫状態の角膜に装着されるとき、患者処置に必要な任意の他の処置周期にわたって使用可能である。コンタクトレンズ１０は、角膜を覆って角膜縁まで適合するようにサイズ決め可能であり、または代替として、角膜縁を覆って延在することもできる。
【００１４】
別の実施形態では、チャンバ２０は、任意の物質２２で充填されるのではなくて、単に角膜、もしくは角膜と角膜縁とを覆って、または角膜縁を越えて適合する。中央凸状円板１２によって画定されたチャンバ２０が、最初、空の（つまり、高浸透性物質はないが、例えば、空気を収容している）ときでさえも、浸透圧勾配を生み出すことができることは分かっており、この浸透圧勾配は結果的に、浸透性によって角膜から高浸透性チャンバ２０への直接的な分泌液の正味流入をもたらし、したがって、角膜から水分が抜けることになる。涙液膜が、浸透圧勾配に起因して、レンズ１０と角膜との間に生み出される。涙液膜は、溝１６および開口１８に起因して、比較的閉じ込められ、ゆっくりと漏れ出る表面張力をレンズ１０の下に生み出す。（開口１８は小さく、したがって、滴は、開口を通って流れ出るのではなくて、表面張力に起因して閉じ込められる。）中に閉じ込められた塩気のある涙液膜は、高浸透圧を上昇させ、そのことにより、角膜からの脱水が相乗的に高まる。開口およびレンズの構造は、レンズの外面に置かれた何らかの液体滴が、比較的一方向性の開口１８を通ってレンズの内側に引き込まれるようにするようなものである。したがって、レンズは、高張溶液または任意の他の医薬品などの流体のトラップとして働く。
【００１５】
オプションで、レンズ１０は、その底部分において、より重くすることができ、そのことにより、何らかのねじれ運動に対してもレンズの安定性を高め、レンズを定位置に維持することができる。
【００１６】
次に、図２および図４を参照する。ここで、限定しない、例示的なレンズ寸法の値について記載する。
【００１７】
本発明の１つの実施形態では、パラメータは以下の通りである。
【００１８】
Ａ：（周曲部分１４を含む）全レンズ直径＝１１．５０ｍｍ
Ｄ：開口１８の直径＝０．５ｍｍ
Ｂ：リザーバ直径（高浸透性チャンバ２０の直径）＝７．５０ｍｍ
Ｃ：環状溝１６の厚さ＝０．４０ｍｍ
ＣＴ：中心厚さ＝０．４ｍｍ（図３を参照）
ＲＰ：周辺眼球半径
ＲＢ：リザーバ半径は、中央眼球弱主経線よりも０．３ｍｍスティープである。
【００１９】
ＲＤ：中央凸状円板１２の半径（曲率）＝８．６０ｍｍ
ＲＣＰ：周曲部分１４の半径（曲率）＝８．６０ｍｍ
本発明の別の実施形態では、パラメータは以下の通りである。
【００２０】
Ａ：（周曲部分１４を含む）全レンズ直径＝１５．００ｍｍ
Ｄ：開口１８の直径＝１．５０ｍｍ
Ｂ：リザーバ直径（高浸透性チャンバ２０の直径）＝９．５０ｍｍ
Ｃ：環状溝１６の厚さ＝０．４０ｍｍ
ＣＴ：中心厚さ＝０．２５ｍｍ
ＲＰ：周辺眼球半径
ＲＢ：リザーバ半径は、中央眼球弱主経線よりも０．３ｍｍスティープである。
【００２１】
ＲＤ：中央凸状円板１２の半径（曲率）＝７．８０ｍｍ
ＲＣＰ：周曲部分１４の半径（曲率）＝９．６０ｍｍ
本発明のさらなる別の実施形態では、パラメータは以下の通りである。
【００２２】
Ａ：（周曲部分１４を含む）全レンズ直径＝１４．００ｍｍ
Ｄ：開口１８の直径＝０．５ｍｍ
Ｂ：リザーバ直径（高浸透性チャンバ２０の直径）＝９．５０ｍｍ
Ｃ：環状溝１６の厚さ＝０．４０ｍｍ
ＣＴ：中心厚さ＝０．４ｍｍ
ＲＰ：周辺眼球半径
ＲＢ：リザーバ半径は、中央眼球弱主経線よりも０．３ｍｍスティープである。
【００２３】
ＲＤ：中央凸状円板１２の半径（曲率）＝８．６０ｍｍ
ＲＣＰ：周曲部分１４の半径（曲率）＝８．６０ｍｍ
本発明のさらなる別の実施形態では、パラメータは以下の通りである。
【００２４】
Ａ：（周曲部分１４を含む）全レンズ直径＝１１．００ｍｍ
Ｄ：開口１８の直径＝０．５ｍｍ
Ｂ：リザーバ直径（高浸透性チャンバ２０の直径）＝７．５０ｍｍ
Ｃ：環状溝１６の厚さ＝０．３０ｍｍ
ＣＴ：中心厚さ＝０．４ｍｍ
ＲＰ：周辺眼球半径
ＲＢ：リザーバ半径は、中央眼球弱主経線よりも０．３ｍｍスティープである。
【００２５】
ＲＤ：中央凸状円板１２の半径（曲率）＝８．６０ｍｍ
ＲＣＰ：周曲部分１４の半径（曲率）＝８．８０ｍｍ
第１および第４の例では、レンズは、基本的に、角膜だけをカバーするのに対して、第２および第３の実施形態では、レンズは、角膜縁まで、および角膜縁を越えて延在することが注目される。
【００２６】
図１に破線で示すように、別のオプションとして、１つまたは複数の弓形溝４０が中央凸状円板１２の内面にわたって球面長手方向に少なくとも部分的に形成され得る。溝４０は、開口１８から延びることができる。
【００２７】
次に、本発明の別の実施形態により、構築され、機能する高浸透性アイコンタクトレンズ５０を示す図５を参照する。
【００２８】
コンタクトレンズ５０は、後レンズ５４を覆って装着される前レンズ５２を含み、この後レンズ５４は、眼球の角膜Ｃに装着される。涙液膜５５が、後レンズ５４と角膜との間に存在してもよい。限定しないが、前レンズ５２および後レンズ５４は、それぞれ含水率７３％および５４％のＧ４Ｘのｐ−ＧＭＡ／ＨＥＭＡ（ヒオキシフィルコンＤ）から作ることができる。前レンズ５２の寸法は、第１の上述例に類似していてよく、一方、後レンズ５４は、第２の上述例に類似していてよい。本発明は、これらの値に限定されない。
（項目１）
コンタクトレンズ（１０）において、
中央凸状円板（１２）と、
前記円板（１２）から半径方向に延在する周曲部分（１４）と、
前記円板および前記周曲部分（１４）の内側接合部において形成された環状溝（１６）と、
前記溝（１６）内に形成された１つまたは複数の開口（１８）と
を含むコンタクトレンズ（１０）。
（項目２）
前記レンズ（１０）の内容積が、浸透圧勾配を生み出す高浸透性チャンバ（２０）を画定し、この浸透圧勾配は結果的に、浸透性によって前記レンズ（１０）が載置される角膜から前記高浸透性チャンバ（２０）への直接的な流体の正味流入をもたらす、項目１に記載のコンタクトレンズ（１０）。
（項目３）
前記内容積は、前記中央凸状円板（１２）によって画定される、項目１に記載のコンタクトレンズ（１０）。
（項目４）
前記高浸透性チャンバ（２０）には、高浸透性物質がない、項目２に記載のコンタクトレンズ（１０）。
（項目５）
前記高浸透性チャンバ（２０）は、高浸透性物質（２２）を内部に収容する、項目２に記載のコンタクトレンズ（１０）。
（項目６）
前記中央凸状円板（１２）および前記周曲部分（１４）は、曲率が等しい、項目１に記載のコンタクトレンズ（１０）。
（項目７）
前記中央凸状円板（１２）および前記周曲部分（１４）は、曲率が等しくない、項目１に記載のコンタクトレンズ（１０）。
（項目８）
前記中央凸状円板（１２）の内面にわたって球面長手方向に少なくとも部分的に形成された１つまたは複数の弓形溝（４０）をさらに含む、項目１に記載のコンタクトレンズ（１０）。
（項目９）
コンタクトレンズ（５０）において、
後レンズ（５４）を覆って装着された前レンズ（５２）を含み、
それぞれの前記レンズは、
中央凸状円板（１２）と、
前記円板（１２）から半径方向に延在する周曲部分（１４）と、
前記円板（１２）および前記周曲部分（１４）の内側接合部において形成された環状溝（１６）と、
前記溝（１６）内に形成された１つまたは複数の開口（１８）とを含む、
コンタクトレンズ（５０）。
（項目１０）
角膜に載置されたとき、涙液膜（５５）が前記後レンズ（５４）と前記角膜との間に存在する、項目９に記載のコンタクトレンズ（５０）。
【図１】
0006537983.tif 000002
【図２】
0006537983.tif 000003
【図３】
0006537983.tif 000004
【図４】
0006537983.tif 000005
【図５】
0006537983.tif 000006